(57)【要約】      （修正有）【課題】必要に応じて異なるスペックの光源に交換可能な嵌め込みランプホルダー構造を提供する。【解決手段】内部に収容空間が形成されたベース１と、絶縁ベース２１と絶縁ベース内に設けられた２つの導電片２２とを有し、絶縁ベース上には２つの挿入孔２１１が設けられ、該２つの導電片が該２つの挿入孔に対応する光源ソケット２と、を備える。光源ソケットは、ベース上に設けられるとともにベースの収容空間１１内に位置する。【選択図】図１
0003169800.tif 000002
【実用新案登録請求の範囲】
【請求項１】
内部に収容空間が形成されたベースと、
絶縁ベースと前記絶縁ベース内に設けられた２つの導電片とを有し、前記絶縁ベース上には２つの挿入孔が設けられ、前記２つの導電片が前記２つの挿入孔に対応する光源ソケットと、を備え、
前記光源ソケットは、前記ベース上に設けられるとともに前記ベースの収容空間内に位置することを特徴とする光源を交換可能な嵌め込みランプホルダー構造。
【請求項２】
前記ベースの内縁には、前記ベースに沿って前記収容空間の外周に位置する環壁が延在形成され、前記光源ソケットは、前記ベースの前記環壁上に設けられることを特徴とする請求項１に記載の光源を交換可能な嵌め込みランプホルダー構造。
【請求項３】
前記２つの挿入孔は、弧状であり、一端の幅がその他の部分の幅よりも大きいことを特徴とする請求項１又は２に記載の光源を交換可能な嵌め込みランプホルダー構造。
【請求項４】
前記光源ソケットは、前記ベース上に固定又は枢設されることを特徴とする請求項１ないし３のいずれか１項に記載の光源を交換可能な嵌め込みランプホルダー構造。
【請求項５】
ベースと、
絶縁ベースと前記絶縁ベース内に設けられた導電片とを有し、前記絶縁ベース上には挿入孔が設けられ、前記導電片が前記挿入孔に対応する光源ソケットと、を備え、
前記光源ソケットは、前記ベース上に設けられることを特徴とする光源を交換可能な嵌め込みランプホルダー構造。
【請求項６】
前記ベースの内縁には、前記ベースに沿って環壁が延在形成され、前記光源ソケットは、前記ベースの環壁上に設けられることを特徴とする請求項５に記載の光源を交換可能な嵌め込みランプホルダー構造。
【請求項７】
前記２つの挿入孔は、弧状であり、一端の幅がその他の部分の幅よりも大きいことを特徴とする請求項５又は６に記載の光源を交換可能な嵌め込みランプホルダー構造。
【考案の詳細な説明】
【技術分野】
【０００１】
本考案は、嵌め込みランプホルダー構造に関し、特に光源を交換可能な嵌め込みランプホルダー構造に関するものである。
【背景技術】
【０００２】
生活レベルの向上に伴い、生活品質に対する要求が高まっており、特に、生活環境のさらなる品質向上が求められている。その中で、照明の配置は、日用品や家具のアレンジに匹敵し、美観や快適さに影響を与える要因であることから、灯具は、日常生活に欠かせない生活用品となっている。現在、さまざまな灯具（例えば嵌め込みランプ、投射ランプ、日光灯、デスクランプ又はシーリングランプ等）が一般の家庭や公衆の室内に設置されており、これらの灯具の利用により、暗さによる不便を改善している。
【０００３】
上述の灯具の内、嵌め込みランプは、その光源が固定設置の形態であり、必要に応じて異なるスペックの光源に交換することができず、光源を交換するためには、嵌め込みランプ全体を取り替えなければならないことから、使用上の不便となっている。
【０００４】
本考案者は、上述の問題点を改善するために、鋭意研究を重ねた結果、構成がコンパクトで上述の問題点を有効に改善することができる光源を交換可能な嵌め込みランプホルダー構造を見出し、本考案を完成するに至った。
【考案の概要】
【考案が解決しようとする課題】
【０００５】
本考案は、使用が便利であり、且つ必要に応じて異なるスペックの光源に交換可能な嵌め込みランプホルダー構造を提供することを目的とする。
【課題を解決するための手段】
【０００６】
本考案は、内部に収容空間が形成されたベースと、絶縁ベースと前記絶縁ベース内に設けられた２つの導電片とを有し、前記絶縁ベース上には２つの挿入孔が設けられ、前記２つの導電片が前記２つの挿入孔に対応する光源ソケットと、を備え、前記光源ソケットは、前記ベース上に設けられるとともに前記ベースの収容空間内に位置することを特徴とする異なる光源を交換可能な嵌め込みランプホルダー構造を提供する。
【０００７】
また、本考案は、ベースと、絶縁ベースと絶縁ベース内に設けられた導電片とを有し、前記絶縁ベース上には挿入孔が設けられ、前記導電片が前記挿入孔に対応する光源ソケットと、を備え、前記光源ソケットは、前記ベース上に設けられることを特徴とする異なる光源を交換可能な嵌め込みランプホルダー構造を提供する。
【考案の効果】
【０００８】
本考案に係る嵌め込みランプホルダーは、ベース上に光源ソケットが設けられ、光源の導電体が光源ソケットの挿入孔内に挿入されることにより導電片と接触し、導通することができる。また、光源が光源ソケットに着脱可能に設けられているため、必要に応じて異なるスペックの光源に交換することができ、使用上の利便性を向上させることができる。
【０００９】
本考案の特徴及び技術内容をより理解できるように、本考案の詳細な説明を添付図面を参照して説明する。なお、添付図面は、参考及び説明に使われるものであり、本考案を限定するものではない。
【図面の簡単な説明】
【００１０】
【図１】本考案に係る光源を交換可能な嵌め込みランプホルダー構造の立体分解図を示す。
【図２】本考案に係る光源を交換可能な嵌め込みランプホルダー構造を他の角度から見た立体分解図である。
【図３】本考案に係る光源を交換可能な嵌め込みランプホルダー構造の立体組合図である。
【図４】本考案に係る光源を交換可能な嵌め込みランプホルダー構造を他の角度から見た立体組合図である。
【図５】本考案に係る光源の立体分解図である。
【考案を実施するための形態】
【００１１】
図１ないし図４に示すように、本考案に係る異なる光源を交換可能な嵌め込みランプホルダー構造は、円環体であるベース１と、光源ソケット２と、を備え、ベース１を利用して任意の場所に取り付けることができる。ベース１の内部には、円形空間である収容空間１１が形成されている。ベース１の内縁には、ベース１に沿って収容空間１１の外周に位置する環壁１２が延在形成され、該環壁１２を利用して光源ソケット２を容易に固定又は枢設することができる。本実施例において、ベース１（環壁１２）の対向する両側には、第１の枢孔１３が設けられている。
【００１２】
光源ソケット２は、電力を供給可能なベースであればよく、本実施例における光源ソケット２には光源３が挿入され、該光源３は、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ、国際電気標準会議）規格に適合したＧＸ５３灯具である。光源ソケット２は、光源３に対応して設けられており、即ち、本実施例における光源ソケット２は、ＩＥＣ規格に適合したＧＸ５３ソケットである。なお、光源ソケット２及び光源３の規格及び構成は特に限定されるものではない。光源ソケット２は、絶縁ベース２１と絶縁ベース２１内に設けられた２つの導電片２２とを有し、該絶縁ベース２１は、中空体である。絶縁ベース２１上には２つの挿入孔２１１が設けられており、該挿入孔２１１は、弧状であり、一端の幅が挿入孔２１１のその他の部分の幅よりも大きい。２つの導電片２２は、銅等の導電性が良好な金属片からなり、絶縁ベース２１の内部且つ２つの挿入孔２１１に対応する位置に設けられ、一端が電源線（図示せず）のホット線及びアース線にそれぞれ接続され、必要とする電力を容易に２つの導電片２２に供給することができる。
【００１３】
光源ソケット２は、ベース１に固定又は枢設されることができる。即ち、光源ソケット２は、ネジによる螺着、係着又は接着等によりベース１上に固定されてもよく、その固定方法には特に制限がない。また、光源ソケット２は、ベース１上に枢設されてもよい。本実施例において、光源ソケット２の対向する両側には、第１の枢孔１３に対応する第２の枢孔２１２が設けられており、適当な枢軸２３を対応する第１の枢孔１３及び第２の枢孔２１２に挿設することにより、光源ソケット２をベース１に揺動可能に枢設し、光源ソケット２をベース１の収容空間１１内に位置させることができる。光源ソケット２をベース１上に枢設する構造には制限が無く、例えば、ベース１上に枢軸又は枢孔を設け、光源ソケット２上に対応する枢孔又は枢軸を設け、ベース１と光源ソケット２とが対応する枢軸及び枢孔により互いに枢設されてもよい。また、光源ソケット２をその他のタイプの枢軸、回転軸又はヒンジ等の構造によりベース１上に揺動可能に枢設してもよい。
【００１４】
図５に示すように、光源３は、ランプハウジング３１を有し、ランプハウジング３１の内部には光源モジュール３２が設けられる。光源モジュール３２は、発光ダイオード（ＬＥＤ）により面状に発光させてもよい。ランプハウジング３１には放熱器３３及び電源制御モジュール３４が接続され、放熱器３３は、アルミニウム、銅又はその他の熱伝導率の良い材料からなり、光源モジュール３２に接触する。これにより、光源モジュール３２が作動時に発生した熱をランプハウジング３１及び放熱器３３を介して外部へ伝達する。電源制御モジュール３４は、光源モジュール３２に電気的に接続される。なお、該電源制御モジュール３４には、制御回路と光源ソケット２に電気的に接続される２つの導電体３４１とが予め設けられている。
【００１５】
光源３の２つの導電体３４１は、光源ソケット２の２つの挿入孔２１１内に挿設される。具体的に説明すると、まず、２つの導電体３４１を２つの挿入孔２１１の幅が大きい一端に挿入した後、光源３を所定の角度だけ回転させることにより、２つの導電体３４１が２つの挿入孔２１１の他端にそれぞれ嵌め込まれ、位置決めされる。また、このとき、２つの導電片２２と接触することにより導通し、電力が光源３の電源制御モジュール３４及び光源モジュール３２に供給され、光源３を発光させることができる。本実施例における光源ソケット２は、ベース１上に枢設されるため、光源ソケット２及びそれに挿設される光源３は、必要に応じて角度の調整を行うことができる。なお、光源ソケット２がベース１上に固定されている場合は、光源ソケット２及びそれに挿設される光源３は、角度の調整を行うことができない。
【００１６】
本考案に係る嵌め込みランプホルダーのベース１上には光源ソケット２が設けられており、光源３の２つの導電体３４１が光源ソケット２の２つの挿入孔２１１内に挿設されることにより、２つの導電片２２と接触し、電気的な接続を達成する。光源３と光源ソケット２とは、分離可能に設けられており、これにより必要に応じて異なるスペックの光源に交換することができるため、使用上の利便性を向上させる。
【００１７】
さらに、光源ソケット２の端面は、ベース１の端面と面一となっており、光源３が光源ソケット２に挿設されたとき、光源３は、ベース１より十分突出しており、容易に光源３の交換を行なうことが可能である。
【００１８】
また、本考案に係る嵌め込みランプホルダーは、ベース１及び光源ソケット２からなり、構造がコンパクトな為、組み立てが容易であるとともに、製品の軽薄化の要求を満たすこともできる。
【００１９】
上述したものは、本考案の好ましい実施例に過ぎず、本考案の実施の範囲を限定するためのものではない。また、本考案の明細書及び図面内容に基づいてなされた同等の変更および付加は、いずれも本考案の特許請求の範囲内に含まれるものとする。
【符号の説明】
【００２０】
１  ベース
１１  収容空間
１２  環壁
１３  第１の枢孔
２  光源ソケット
２１  絶縁ベース
２１１  挿入孔
２１２  第２の枢孔
２２  導電片
２３  枢軸
３  光源
３１  ランプハウジング
３２  光源モジュール
３３  放熱器
３４１  導電体
【図１】
0003169800.tif 000003
【図２】
0003169800.tif 000004
【図３】
0003169800.tif 000005
【図４】
0003169800.tif 000006
【図５】
0003169800.tif 000007